(57)【要約】      （修正有）【課題】室内空間に、マイナスイオン及びフィトンチッド成分を含んだ気体を効率的に排気拡散し室内空間の浮遊有害物質に吸着させて抗菌・除菌・防虫・消臭分解を行なう小型かつ省エネ静音型の健康空気拡散装置を提供する。【解決手段】ＤＣファンモータ１１上部の中空部円筒２にマイナスイオン発生機４を縦型に配設し、下部に吸気効率を上げるための吸気用スペーサ１３、１５及び吸気の減衰を抑える網製の容器格納用網製収納庫１７を取付け、フィトンチッド成分Ｂを吸気してマイナスイオンを含んだ気体を排気円筒１より整流し室内空間に抗菌・除菌・防虫・消臭分解成分を排気拡散させるとともに、ＵＳＢマイナスイオン発生機４を、ＤＣファンモータ１１上部の中空部円筒２にコネクタ変換装置を介して縦型に配設したことで排気拡散効率の減衰を抑え小型省エネ静音型ＤＣファンモータでも十分室内空間への有効成分の排気拡散が可能になる。【選択図】図１
2007082970.tif 000002
【特許請求の範囲】
【請求項１】
吸気排気機能を有したＤＣファンモータと、マイナスイオン発生機を配設する排気円筒と、フィトンチッド等の揮発成分容器収納庫を網製にして本体を形成し、前記ＤＣファンモータが下部に配設された前記フィトンチッド等の揮発成分容器網製収納庫より揮発成分を吸気して、前記ＤＣファンモータ上部に配設された前記マイナスイオン発生機を配設する排気円筒内を整流させマイナスイオン発生機より生成されたマイナスイオンを含んだ気体を排気円筒出口より排気拡散させ室内空間を除菌、抗菌、防虫、消臭分解する健康空気拡散装置。
【請求項２】
前記マイナスイオン発生機を排気円筒内部の中空部円筒にコネクタ変換装置を介して縦型配設することで、前記ＤＣファンモータからの排気の減衰を抑えて整流させることを特徴とする請求項１記載の健康空気拡散装置。
【発明の詳細な説明】
【技術分野】
【０００１】  この発明は、ＤＣファンモータの吸気及び排気機能を利用してマイナスイオン及びフィトンチッド等の揮発成分を含んだ気体を室内空間に排気拡散させる小型、省エネ静音型健康空気拡散装置に関するものである。
【背景技術】
【０００２】  従来の空気拡散装置は室内空気の対流に関するもので、送風騒音も大きく装置の設置及び移動も容易ではない。またマイナスイオン、フィトンチッド等の有効成分を排気拡散させ健康的な室内空間をつくるものではなかった。
【発明の開示】
【発明が解決しようとする課題】
【０００３】  この改善策として、拡散装置本体をＤＣファンの吸気、排気の減衰を抑える配設構造をすることで、小型省エネ静音型ＤＣファンを用いてもマイナスイオンとフィトンチッド等の揮発成分を含む気体を、効率的に排気拡散させ健康的な室内空間をつくることができる拡散装置の提供を課題とする。
【課題を解決するための手段】
【０００４】  以上の課題を解決するために、第一発明は、小型省エネ静音型ＤＣファンモータ上部の中空部円筒に小型ＵＳＢマイナスイオン発生機を縦型に配設し、ＤＣファンモータ下部にフィトンチッド容器収納庫を網製にして取付けたことで、ＤＣファンの吸気の減衰を抑え揮発性フィトンチッド成分及びマイナスイオンを含んだ気体を排気円筒より室内空間に効率的に排気拡散させることを特徴とする健康空気拡散装置である。【０００５】  また、第二発明は、ＵＳＢマイナスイオン発生機を、ＤＣファンモータ上部に設けられた中空部円筒にコネクタ変換装置を介して縦型に配設することで排気の障害面積を少なくし整流させることで拡散装置の小型省エネ静音化したことを特徴とする健康空気拡散装置である。
【発明の効果】
【０００６】  第一発明、ＵＳＢマイナスイオン発生機をＤＣファンモータ上部の中空部円筒部分に配設し、フィトンチッド容器収納庫をＤＣファンモータ下部に網製で取り付けたことで小型、省エネ静音型ＤＣファンモータでも吸気の減衰を妨げずマイナスイオンと揮発性フィトンチッド成分を含んだ気体が排出でき、異なる２つの有効成分を同時に効率的に室内空間に拡散させることができる。【０００７】  また第二発明によれば、ＵＳＢマイナスイオン発生機は、ＤＣファンモータ上部に設けられた中空部円筒に縦型に配設され、ＤＣファンモータの排気効率の減衰を抑えて整流させることで拡散装置の小型省エネ静音化が可能になった。
【発明を実施するための最良の形態】
【０００８】  以下、本発明の実施の形態を、図１〜図４に基づいて説明する。【０００９】  図１の拡散装置の排気円筒１はアクリル製であり、この排気円筒１の中空部には、図２のようにプラスチック製の中空部円筒２・３及びＵＳＢマイナスイオン発生機４が一体的に設けられている。【００１０】  この中空部円筒２にはＵＳＢマイナスイオン発生機４がＵＳＢコネクタ変換基盤５を介して縦型に配設されている為、フィトンチッド成分Ｂを含んだ気体を排気の減衰を抑えて整流させてマイナスイオンＡを含んだ気体とともに小型省エネ静音ＤＣファンモータ１１でも室内空間へ排気拡散Ｃさせる効果がある。【００１１】  また中空部円筒２とＵＳＢコネクタ変換基盤５とは変換基盤固定用穴６に変換基盤固定ベルト７を通して固定される。コネクタ変換基盤５にはケーブル配線用の４ピンコネクタがあるがＶｂｕｓ８とＧＮＤ９を通電用に使用する。【００１２】  排気円筒１の固定台１０はアクリル性でＤＣファンモータ１１からの排気を行なうため円状に開口されている。【００１３】  またＤＣファンモータ１１の上部に金属製ファン防護用ネット１２、下方に吸気効率を上げる吸気用スペーサ１３、金属製防塵用ネット１４の下方に吸気用スペーサ１５を挟んで設置する。【００１４】  フィトンチッドジェル容器１６の容器格納用網製収納庫１７は網製のため吸気Ｄの減衰を妨げない。【００１５】  天井面Ｅに設置を可能にするため図３のように設置台にはビス穴２１が設けられ天井取付け用ビス２２で固定される。【００１６】  容器格納用網製収納庫１７は網製のためフィトンチッドジェル容器１６が収納庫の上部に接しても吸気Ｄの効率は低下せずに室内空間に排気拡散Ｃできる。【００１７】  全てのパーツは図４のように固定用ナット１８と通しボルト１９で設置台２０に固定され本体を形成する。以上のように、本実施形態によれば、小型省エネ静音型ＤＣファンモータ１１でも、揮発性フィトンチッド成分Ｂの効率的な吸気Ｄ及び排気Ｃができ、省エネ型ＵＳＢマイナスイオン発生機４を中空部円筒２に縦型に配設することでマイナスイオンＡを排気の減衰を抑えて室内空間に抗菌・除菌・防虫・消臭分解成分を排気拡散Ｃし、室内浮遊有害物質に吸着させ分解処理が可能になるとともに拡散装置の小型省エネ静音化が実施でき設置場所も選ばない。
【図面の簡単な説明】
【００１８】
【図１】  本発明の実施形態を示す健康空気拡散装置の平面図である。
【図２】  同マイナスイオン発生機の固定技術を示す斜視図である。
【図３】  同天井設置の吸気排気、容器を示す平面図である。
【図４】  同拡散装置の各部位の構成を示す斜視図である。
【符号の説明】
【００１９】    １  排気円筒              ２  マイナスイオン発生機配設中空部円筒
３  中空部円筒                    ４  ＵＳＢマイナスイオン発生機
５  ＵＳＢコネクタ変換基盤        Ａ  マイナスイオン
Ｂ  揮発性フィトンチッド成分      Ｃ  排気拡散
６  コネクタ変換基盤固定用穴      ７  変換基盤固定ベルト
８  ４ピンコネクタＶｂｕｓ        ９  ４ピンコネクタＧＮＤ
１０  排気円筒１固定台            １１  ＤＣファンモータ
１２  ＤＣファンモータ防護ネット  １３  吸気用スペーサ
１４  防塵用ネット                １５  吸気用スペーサ
１６  フィトンチッドジェル容器    １７  容器格納用網製収納庫
Ｄ  吸気                        １８  固定用ナット
１９  通しボルト                  ２０  設置台
２１  天井取付け用ビス穴          ２２  天井取付け用ビス
２３  マイナスイオン吹出し口        Ｅ  天井面
【図１】
2007082970.tif 000003
【図２】
2007082970.tif 000004
【図３】
2007082970.tif 000005
【図４】
2007082970.tif 000006